(57)【要約】【課題】粉状洗浄剤を用いての流し台排水口等の洗浄が、洗浄剤を飛散させることなく安全に行えるようにする。【解決手段】粉状洗浄剤３とその粉状洗浄剤３を内部に納める外装体２とかなり、外装体２は粉状洗浄剤３を密封状態に納めるとともに、洗浄使用に際しては付与される水により粉状洗浄剤３を被洗浄部に流出可能とする流出機構１６、２２、２４、２８、２９を備える洗浄剤収納体。【選択図】図２
2009161647.tif 000002
【特許請求の範囲】
【請求項１】
粉状洗浄剤とその粉状洗浄剤を内部に納める外装体とからなり、
前記外装体は前記粉状洗浄剤を密封状態に納めるとともに、洗浄使用に際しては付与される水により前記粉状洗浄剤を被洗浄部に流出可能とする流出機構を備えてなる、
ことを特徴とする洗浄剤収納体。
【発明の詳細な説明】
【技術分野】
【０００１】  この発明は、厨房の流し台シンクの排水口部分の洗浄等に使用される洗浄剤収納体に関する。
【背景技術】
【０００２】  厨房の流し台シンクには排水口が凹設され、その部分にはゴミ受けカゴが装着されている。このゴミ受けカゴやその周囲部分は、厨芥ゴミが付着しそれが腐敗することで汚れやすく、いわゆる「ヌメリ」の付いた状態となり、見た目が悪く、非衛生的で、さらに、悪臭の発生する問題があった。【０００３】  そのような、「ヌメリ」を除去するには除菌剤等よりなる洗浄剤が使用される。この洗浄剤としては固形状のものと粉状のものとがある。固形状のものはゴミ受けカゴ内に継続して配置使用され、使用に伴い徐々に溶け出す薬剤により洗浄効果を発揮する。これに対し粉状のものは通常発泡剤を一体とし、一時に泡立たせることで洗浄効果を発揮するようになっている。
【発明の開示】
【発明が解決しようとする課題】
【０００４】  しかしながら上記それぞれのタイプの洗浄剤には下記の問題がある。固形状の場合、ゴミ受けカゴ内に設けるので、ゴミの取り出し時に邪魔になり、また、溶け出す洗浄剤が長く継続して排水管等に接することで排水管等の腐食劣化を招く恐れもある。さらに、最近のシステムキッチン等では排水口が浅型に設計される場合が多く、その場合にはゴミ受けカゴも浅くなりある程度の大きさを持つ固形状のものの使用が難しくなってきている。【０００５】  したがって、最近では粉状の洗浄剤が広く使用されてきているが、粉状の場合には使用に際して飛散しやすいという基本的な問題がある。洗浄剤として除菌性能等を発揮するものとして塩素系薬剤を使用する場合があり、取り扱いに際しそのような洗浄剤が飛散して肌に触れたり、また、口、鼻、目に入ることは安全上きわめて好ましくない。【０００６】  この発明は上記の事情に鑑みで行ったもので、粉状洗浄剤を用いての洗浄が、洗浄剤に触れることがなく、また、洗浄剤粉体を飛散させることなく安全に行えるようにすることを目的とする。
【課題を解決するための手段】
【０００７】  この発明では、粉状洗浄剤とその粉状洗浄剤を内部に納める外装体とからなり、
前記外装体は前記粉状洗浄剤を密封状態に納めるとともに、洗浄使用に際しては付与される水により前記粉状洗浄剤を被洗浄部に流出可能とする流出機構を備えてなることを特徴とする洗浄剤収納体を提供する。【０００８】  上記構成の洗浄剤収納体は、通常粉状洗浄剤を密封状態に納め、洗浄に使用する際にのみ流出機構により粉状洗浄剤を流出可能とするので、従来のように粉状洗浄剤を容器や袋内等から取り出して被洗浄部に振りかけるような作業が省略され、これにより、洗浄剤に直接手等が触れたり、粉状洗浄剤が飛散することが防止される。【０００９】  粉状洗浄剤としては、被洗浄部に対応して適宜洗浄能力を発揮するものが使用可能で、発泡剤との混合粉末とすることで高い洗浄性能が得られる。外装体はケースや袋等適宜の形態とできる。
【発明の効果】
【００１０】  この発明によれば、粉状洗浄剤を用いての洗浄が、洗浄剤に触れることがなく、また、洗浄剤を飛散させることなく安全に行えるようになり、これにより、流し台の浅型の排水口等の粉状洗浄剤を用いての洗浄が、短時間において、安全に、かつ、配水管等を傷めることなく行えるようになった。
【発明を実施するための最良の形態】
【００１１】  図１この発明の洗浄剤収納体の第１の実施形態の外観斜視図、図２は同使用状態断面図である。【００１２】  洗浄剤収納体１は、プラスチックス製の平面形状が円形のケース（外装体）２とその内部に納められる粉状洗浄剤３とからなる。ケース２はベース部５と内蓋７と外蓋９とから構成される。ベース部５は平面形状が円形で外周に沿って環状の外周壁１０を一体に備え、さらに、その内側に環状溝１１を挟んで環状の内周壁１３を一体に備え、その内周壁１３の内側を粉状洗浄剤３の配置スペース１５としている。外周壁１０には所定の間隔をおいて穴１６が複数個設けられている。【００１３】  内蓋７は平面形状が円形でその下方に突出する環状の周壁部１７の下端縁が上記ベース部５の内周壁１３の上縁の外側段部２０に嵌設されて上記配置スペース１５上を覆うように設けられている。内蓋７の上面部２１には複数個の穴２２が放射状に、周壁部１７にも穴２４が上記ベース部５の穴１６と同様の間隔をおいて複数個設けられている。外蓋９は形状が円形でその下方に突出する環状の周壁部２５が上記環状溝１１に嵌合されて内蓋７を覆うように設けられている。外蓋９の上面部２７にも穴２９が上記内蓋７の穴２２と同様のパターンで複数個設けられ、さらに周壁部２５にも穴２８が上記穴１６、２４それぞれと同様の間隔をおいて複数個設けられている。【００１４】  外蓋９は上記のように周壁部２５が環状溝１１に嵌合された状態において回転可能に設けられ、所定の回転位置において外蓋９と内蓋７の穴２９、２２のそれぞれが、また、ベース部５と外蓋９と内蓋７との穴１６、２８、２４それぞれが合致するようになっている。外蓋９の上面には回転操作のための操作部３０が突設されており、外蓋９とベース部５には位置合わせ用のマーク３２のそれぞれが設けられており、そのマーク３２が合致する状態において穴２９、２２、穴１６、２８、２４のそれぞれが合致するようになっている。【００１５】  この外蓋９の所定の回転位置において合致して連通する穴２９、２２、穴１６、２８、２４のそれぞれが、この発明の洗浄使用に際しては付与される水により粉状洗浄剤を被洗浄部に流出可能とする流出機構を構成する。【００１６】  粉状洗浄剤３としては、除菌、消臭機能を併せ持つ塩素系洗浄剤と発泡剤との混合粉末を用いる。【００１７】  次に、上記洗浄剤収納体１の使用について説明する。洗浄剤収納体１は袋体内に密封される状態で提供され、その状態では図１に示すようにマーク３２それぞれが互いに完全に離反した位置とされていることで穴２９、２２、穴１６、２８、２４それぞれはともに完全に離反していて、これにより粉状洗浄剤３は配置スペース１５内に密封状態に納められている。袋体内から洗浄剤収納体１を取り出した後に操作部３０を持つことで外蓋９を回転させこれにより穴２９、２２、穴１６、２８、２４それぞれをともに合致させ、この状態において、図２に示すように、流し台の浅型の排水口５０に装着されたゴミ受け用のカゴ５１内に配置する。次に、水道の蛇口から外蓋９上に水を所定量注ぎかけた後カゴ蓋５２を外蓋９上に載置する。注ぎかけられた水は穴２９、２２が合致していることで配置スペース１５内に進入して粉状洗浄剤���を溶かし、その洗浄液は発泡することで泡状となり、矢印で示すように、合致した穴２９、２２、穴１６、２８、２４それぞれを通してケース２の外部に流れ出す。流れ出した泡状の洗浄液はカゴ蓋５２の下面、カゴ５１、排水口５０、配管５３の洗浄を行う。洗浄液が泡状となって被洗浄部面へ長く付着することで洗浄機能が良好に果たされる。【００１８】  上記のように、袋体内から粉状洗浄剤３が密封された洗浄剤収納体１を取り出し、外蓋９を回転させて穴２９、２２、穴１６、２８、２４それぞれを合わせカゴ５１内に配置してその上部より水を注ぐだけで洗浄が行えるので、粉状洗浄剤３に手を触れたり、また、粉状洗浄剤３が飛散することがなく、これにより洗浄作業が安全に行われる。【００１９】  図３は洗浄収納体１の第２の実施形態を示す。このものでは外装体は表面にアルミ蒸着層が付設されたフィルム製のパッケージ１００よりなり、そのパッケージ１００上面に複数の穴１０１が設けられ、それらの穴１０１が粘着剤により貼り付けられるカバーシート１０２により覆われている。この洗浄収納体１は、流し台の浅型の排水口に装着されたカゴ内に置いた状態においてカバーシート１０２を取り外し、その上部から水を注ぎ使用することで上記の実施形態のものと同様に使用できる。穴１０１と、それを覆うとともに使用時に取り外されるカバーシート１０２とがこの発明の流出機構を構成する。この実施形態のものにおいても、上記実施形態のものと同様にして洗浄作業が安全に行われる。【００２０】  図４は洗浄収納体の第３の実施形態を示す。このものでは外装体が厚めのオブラートよりなる袋体２００よりなり、その袋体２００内に粉状洗浄剤３が密封されている。この洗浄収納体１は包装袋に内蔵されて提供され、その包装袋から取り出して使用する。流し台の浅型の排水口に装着されたカゴ内に置いた状態において上部から水を注ぐことでオブラートよりなる袋体２００が溶け、これにより粉状洗浄剤３が泡状となって溶け出す。袋体２００のオブラートよりなる構造がこの発明の流出機構を構成する。この実施形態のものにおいても、上記それぞれの実施形態のものと同様にして洗浄作業が安全に行われる。なお、この洗浄収納体１を第１の実施形態の配置スペース１５に納め用いることも可能で、このように用いることで第１の実施形態におけるケース２の洗浄のための再使用が可能となる。
【図面の簡単な説明】
【図１】この発明の洗浄剤収納体の第１の実施形態の外観斜視図
【図２】この発明の洗浄剤収納体の第１の実施形態の使用状態断面図
【図３】この発明の洗浄剤収納体の第２の実施形態の外観斜視図
【図４】この発明の洗浄剤収納体の第３の実施形態の外観斜視図
【符号の説明】
１        洗浄剤収納体
２        ケース（外装体）
３        粉状洗浄剤
１６      穴（流出機構）
２２      穴（流出機構）
２４      穴（流出機構）
２８      穴（流出機構）
２９      穴（流出機構）
【図１】
2009161647.tif 000003
【図２】
2009161647.tif 000004
【図３】
2009161647.tif 000005
【図４】
2009161647.tif 000006